(57)【要約】【課題】            従来のアタッチ部材はフィラメントの長さに関して調整ができず、多種のサイズのものを用意しなければ装着目的品に対応できなかったという点であり、その装着目的品も制約されてしまうという点であり、さらにはそのアタッチ部材の使用目的も制約されてしまうという点である。【解決手段】        フィラメントの一端に係止部を形成した受部を一体に備え、他端に前記受部に挿入され、係止部に係合する係合部を形成した挿し込み部を一体に備えたアタッチ部材において、前記フィラメントの全体もしくは一部に伸縮材を用いてあることとし、前記した伸縮材はゴム製紐としたこととする。【選択図】          図１
2007106485.tif 000002
【特許請求の範囲】
【請求項１】
フィラメントの一端に係止部を形成した受部を一体に備え、他端に前記受部に挿入され、係止部に係合する係合部を形成した挿し込み部を一体に備えたアタッチ部材において、前記フィラメントの全体もしくは一部に伸縮材を用いてあることを特徴とするアタッチ部材。
【請求項２】
前記した伸縮材はゴム製紐としたことを特徴とする請求項１に記載のアタッチ部材。
【請求項３】
前記したゴム製紐の周面には金糸、銀糸等の糸材が巻装されていることを特徴とする請求項２に記載のアタッチ部材。
【請求項４】
前記したフィラメントは係合用の突子部を所定の間隔をもって連続的に備えていることを特徴とする請求項１、請求項２または請求項３に記載のアタッチ部材。
【請求項５】
前記したフィラメントは帯状のものとし、その表面に連続的にラッチ部を形成してあることを特徴とする請求項１、請求項２、請求項３または請求項４に記載のアタッチ部材。
【発明の詳細な説明】
【技術分野】
【０００１】
本発明はアタッチ部材、主として商品に価格や材質等を表示したタグを吊持させるタグ吊持部材や、線材等を結束する際に使用される結束部材等のアタッチ部材の改良に関する。
【背景技術】
【０００２】
従来より、上記した製品は種々存在しているが、両端に受部や挿し込み部を具有したフィラメントは延伸加工した強靭なプラスチック線材や結束部材の場合は帯状体が用いられている。
【０００３】
この従来のフィラメントはカッター等を用いない限り切断することを不可能としているもので、商品からタグを取り外されたり、結束した物をバラされてしまうことを防止する目的も有している。
【０００４】
しかしながら、従来知られているアタッチ部材は当初よりフィラメントの長さが特定されているため、装着すべき商品との関係で調整ができず、複数種の長さのフィラメントを有するものを用意する必要があったところであり、場合によっては商品への密着性がとれず緩んだ状態での装着となってしまうこともあった。
【０００５】
そのため、従来のアタッチ部材は使用目的が限定され、それを応用して他の目的に使用することはほとんど不可能なものとされ、市場性もその分狭められていたのが実情である。
【特許文献１】本願発明に関して、出願人は先行する技術文献を調査したが、格別に関連すると思われる文献は発見することができなかった。
【発明の開示】
【発明が解決しようとする課題】
【０００６】
本発明が解決しようとする問題点は、従来のアタッチ部材はフィラメントの長さに関して調整ができず、多種のサイズのものを用意しなければ装着目的品に対応できなかったという点であり、その装着目的品も制約されてしまうという点であり、さらにはそのアタッチ部材の使用目的も制約されてしまうという点である。
【課題を解決するための手段】
【０００７】
この目的を達成するために本発明に係るアタッチ部材はフィラメントの一端に係止部を形成した受部を一体に備え、他端に前記受部に挿入され、係止部に係合する係合部を形成した挿し込み部を一体に備えたアタッチ部材において、前記フィラメントの全体もしくは一部に伸縮材を用いてあることを特徴とし、前記した伸縮材はゴム製紐としたことを特徴とし、前記したゴム製紐の周面には金糸、銀糸等の糸材が巻装されていることを特徴としている。
【０００８】
また、本発明に係るアタッチ部材は前記したフィラメントは係合用の突子部を所定の間隔をもって連続的に備えていることを特徴としている。
【０００９】
さらに、本発明に係るアタッチ部材は前記したフィラメントは帯状のものとし、その表面に連続的にラッチ部を形成してあることを特徴としている。
【発明の効果】
【００１０】
本発明に係るアタッチ部材は上記したような構成を特徴としている。そのためフィラメント部分が自在に伸縮可能となり、短いフィラメントのものでも、そのフィラメントの長さを上回るサイズの目的物へ装着が可能となり、しかもその装着状態は密着したものとできる。これはタグ吊持用であっても結束用でも同様となる。
【００１１】
また、本発明に係るアタッチ部材は前記したタグ吊持用や結束用等に限らず、受部に装飾を施したりすることで、髪飾りや身飾り品として応用実施することができ、アタッチ部材自体の市場性も拡大することが可能なものとなっている。
【発明を実施するための最良の形態】
【００１２】
図面として示す実施例のように構成することで実現した。
【実施例１】
【００１３】
次に、本発明の好ましい実施例を図面を参照して説明する。図１は本発明を実施したタグ吊持用アタッチ部材を示す一部断面正面図、図２は同じくフィラメント部の部分断面図、図３は同じく第二の例を示すアタッチ部材を示す正面図、図４は同じく第三の例を示し、結束部材としてのアタッチ部材を示す一部断面正面図である。
【００１４】
これらの図にあって１はタグ吊持用としてのアタッチ部材本体である。このアタッチ部材本体１は可撓性のフィラメント部２を有しており、このフィラメント部２の一端には略筒状としたプラスチック製の受部３を一体的に備え、他端には前記受部３に挿し込まれる挿し込み部４を一体的に備えている。
【００１５】
前記した受部３には長手方向に沿った略中心部分に貫通孔５が設けられており、この貫通孔５の内周面に環状突条とした係止部６が一体に形成されている。
【００１６】
一方、挿し込み部４には先端近くに括れをもって形成した係合部７が一体形成されているもので、この挿し込み部４を受部３の貫通孔５内に挿し込むと係合部７が係止部６と係合してロック状態とされ外すことは不可能となる。
【００１７】
また、この実施例におけるフィラメント部２は芯材としてゴム製紐８が使用されており、そのゴム製紐８の外周を金糸、銀糸あるいはその他の好みの着色をした糸材９が巻装されたものとなっている。
【００１８】
フィラメント部２には価格等を表示したタグ１０が、そこに穿設されている通し孔へ挿し込み部４を通すことで付設される。フィラメント部２は前記した構造となっているためゴムの特性によって伸縮自在なものとなっており、例えばゴルフクラブＡ等の目的商品のシャフト部分、グリップ部分等に巻き付けるようにして装着でき、その装着状態は密なものとすることができる。即ち、フィラメント部２の長さがゴルフクラブＡ等の円周長さより短く設定して、フィラメント部２を伸ばし、ロックすることでタグ１０の装着、換言するとアタッチ部材本体１の装着を完了することができ、その場合、ゴルフクラブＡ等に対して装着部位を格別に選定することなく、任意の部位に対し行なうことができる。
【００１９】
また、図３として示す１１は本発明の第二実施例としてのアタッチ部材本体である。このアタッチ部材１１はフィラメント部１２を有しており、このフィラメント部１２には一定間隔を置いて突子部１３、１３‥が連続的に設けられている。このフィラメント部１２の一端には略円筒状とした受部１４が一体的に備えられ、他端にはこの受部１４に挿し込まれ、ロック状態を形成するための挿し込み部１５が一体的に備えられている。
【００２０】
前記した受部１４には長手方向に沿った中心部分に貫通孔１６が形成されており、受部１４の先端はすぼめられて複数の舌片１４ａ、１４ａ‥に割成されて係止部が形成されている。一方、挿し込み部１５は先端近傍に括れをもって係合部１７が形成されている。挿し込み部１５を受部１４の貫通孔１６へ挿し通すと、挿し込み部１５の係合部が舌片１４ａ、１４ａ‥と係合してロック状態となるが、さらに挿し込み部１５を引き絞ると、順次突子部１３、１３‥が舌片１４ａ、１４ａ‥と係合してフィラメント部１２の径を小さくした状態でのロック状態を得ることができる。
【００２１】
ここでフィラメント部１２における突子部１３、１３間は前記した第一実施例と同様にゴム製紐８を使用し、そのゴム製紐８の周面に糸材９を巻装した構成となっているもので、第一実施例と同様な作用効果を得ることができるものとなっている。
【００２２】
また、図４として示す１８は本発明の第三実施例としてのアタッチ部材本体であり、この場合のアタッチ部材本体１８は結束部材として使用されることを主目的としている。そのため、この場合のフィラメント部１９はプラスチック製の平帯状のものとされている。
【００２３】
このフィラメント部１９の一端は楔状に形成された係止部２０となっており、この係止部２０は円筒状に形成されている受部２１の長手方向に沿った中心部分に形成された貫通孔２２内に不動状態で連結されている。そしてフィラメント部１９の他端は鈍角に屈折された挿し込み部２３が形成されている。
【００２４】
このフィラメント部１９の内面には前記した係止部２０と係合してロック状態とするラッチ２４、２４‥が連続的に形成されており、挿し込み部２３には係止部２０との係合を避けるため外面側にギザ部２５が前記したラッチ２４、２４‥と同様に形成されている。これは挿し込み部２３が貫通孔２２を通った後、爪等を引っ掛けて引き絞りを行なうためのものとされる。
【００２５】
また、このフィラメント部１９はその一部に位置を問うことなくゴム製帯２６が一体的に介在されている。図では略中間位置としてあるが、係止部２０に近い基端部寄りとするとより作業に余裕をもたせることができる。さらに、このゴム製帯２６は一本のみでなく、短いものを断続的に介在させること等も可能となり、ゴム製帯２６の外表面をカバー材で被覆することも可能であり、このゴム製帯２６の介在によって第一実施例、第二実施例と同様な作用、効果を得ることが可能となっている。
【産業上の利用可能性】
【００２６】
本発明に係る実施例は上記のように構成されている。この実施例では伸縮部材としてゴム製紐８やゴム製帯２６を使用することとしているが、これにこだわらずコイルスプリングや素材として伸縮性を有するプラスチック等の使用も十分に可能なものとなり、アタッチ部材自体のサイズも従来知られているものと比して、小さいもの、大きいものを自在に設計し、製造することができるもので、使用用途も大幅に広げることができるものとなっている。
【図面の簡単な説明】
【００２７】
【図１】本発明を実施したタグ吊持用アタッチ部材を示す一部断面正面図である。
【図２】フィラメント部の部分断面図である。
【図３】第二の例を示すアタッチ部材を示す正面図である。
【図４】第三の例を示し、結束部材としてのアタッチ部材を示す一部断面正面図である。
【符号の説明】
【００２８】
１      アタッチ部材本体
２      フィラメント部
３      受部
４      挿し込み部
５      貫通孔
６      係止部
７      係合部
８      ゴム製紐
９      糸材
１０    タグ
１１    アタッチ部材本体
１２    フィラメント部
１３    突子部
１４    受部
１４ａ  舌片
１５    挿し込み部
１６    貫通孔
１７    係合部
１８    アタッチ部材本体
１９    フィラメント部
２０    係止部
２１    受部
２２    貫通孔
２３    挿し込み部
２４    ラッチ
２５    ギザ部
２６    ゴム製帯
Ａ      ゴルフクラブ
【図１】
2007106485.tif 000003
【図２】
2007106485.tif 000004
【図３】
2007106485.tif 000005
【図４】
2007106485.tif 000006